(57)【要約】【課題】  ポータルサーバを用いて必要なデータに一元的かつ効率的にアクセスしようとする場合、アクセス可能なデータは公開されたものに限られ、利用者自身のＰＣやチームを組んで仕事をする同僚のＰＣのデータは、サーバにアップロードするなど、積極的に公開のための作業を行わない限り、ポータルサーバ経由では利用できなかった。【解決手段】  利用者自身のＰＣや同僚のＰＣのディスク上に公開領域を設け、そこにアクセスする公開プログラムを設け、また、ポータルサーバ上に公開プログラムと連携するための連携プログラムを設け、さらに、連携プログラムが利用するキャッシュを設けることで、同僚のＰＣが起動していなかったりネットワークにつながっていなかったりする状況を含め、利用者が必要とするデータをポータルサーバ経由で他の公開状報道用一元的かつ効率的にアクセス可能になる。【選択図】  図１
2006113829.tif 000002
【特許請求の範囲】
【請求項１】
ポータルエンジン及び一つ以上のポートレットを備えたポータルサーバにおいて、ポートレットと通信する連携プログラム、及び連携プログラムと通信する公開プログラムを介してポータルサーバの利用者に対してネットワークで接続されたコンピュータのディスクの特定領域のデータへのアクセスの提供方法であって、データを公開する側が特段の作業を行わなくても上記利用者へのデータ提供を実現できることを特徴とするポータルサービスの提供方法。
【請求項２】
請求項１記載のポータルサービスの提供方法において、連携プログラムとキャッシュを組み合わせることにより、データを公開する側の状況にかかわらず、上記利用者へのデータ提供を実現できることを特徴とするポータルサービスの提供方法。
【発明の詳細な説明】
【技術分野】
【０００１】
本発明は、適切な相手に対して公開すべき情報がネットワーク上に散在している環境において、情報の提供者と消費者を関連付け、情報の公開を実現するための方法及びそのシステムに関するものである。
【背景技術】
【０００２】
近年、インターネット技術およびワールド・ワイド・ウェブ（ＷＷＷ）技術の発展及び普及に伴い、膨大な量のデータがインターネットやイントラネット上に公開されるようになってきた。これによって情報収集の利便性が高まる一方、利用者各自が必要なデータを膨大なデータのなかから探し出すために多大な時間が必要になるという状況も生まれてきた。
【０００３】
その問題を解決するために、利用者それぞれにとって相応しい情報を相応しいかたちで整理する技術として、ポータルサーバが発展してきた。利用者は、インターネットやイントラネット上に公開されたデータに直接アクセスするのではなく、ポータルサーバを介してそれらのデータにアクセスするようになる。ポータルサーバを介して利用者がアクセスできる情報の範囲は、あらかじめ登録されたパーソナライズ情報に基づいて、ポータルサーバのポータルエンジンが決定する。ポータルエンジンは、ポートレットという接続部品を介して、インターネットやイントラネット上に公開されているデータにアクセスし、そこから取得した応答を適切なかたちに編集して、利用者に提供する。ポートレットは、ＷＷＷの公開情報や、企業の業務システムなど、情報資源の種別に応じて複数存在する。各種ポートレットが取得する情報は、ポータルエンジンによって統合されて利用者に提供されることになる。これにより、利用者には、あらかじめ登録しておいた自分の目的に応じて、必要なデータが絞り込まれて提供されるようになるため、情報を探し出すために費やす時間が削減できる。
【０００４】
こうしたポータルサーバを活用する技術も発展してきており、その一つが、遠隔にある様々なポートレットを動的に利用可能にすることで、アクセスできる情報を拡大するというものである（特許文献１）。
【０００５】
このように、ポータルサーバを利用して様々な情報を利用者にとって最適な形で一元化し、その情報を活用して業務を遂行するという傾向は、ますます広まりつつある。
【０００６】
【特許文献１】特開２００３−３６１９７号公報
【発明の開示】
【発明が解決しようとする課題】
【０００７】
従来技術では、ＷＷＷに公開された情報や、業務システムの情報など、しかるべき場所に公開されたデータしか利用者はアクセスできなかった。しかしながら、利用者が必要とする情報は、これら公開されたものだけでは不十分である可能性が大きい。ＷＷＷでの公開情報に加えて、まず、利用者自身のパーソナル・コンピュータ（ＰＣ）のディスクに保管された情報を利用する可能性は非常に高い。また、一緒にチームを組んで仕事をする同僚のＰＣのディスクに保管されている情報も利用する可能性が高い。
【０００８】
現在、例えポータルサーバを利用していたとしても、これらの情報については、自分もしくは同僚がその情報をＷＷＷサーバなどに意識的にアップロードしていない限り、ポータルサーバ経由では利用できない。その場合、結局は自分のＰＣであればローカルなディスクを探し、同僚の持つ情報であれば、メールで送信してくれるよう依頼するなどして利用するしかない。つまり、利用者にとって必要な情報を適切なかたちで提供してくれるはずのポータルサーバだが、必要な情報を十分に提供していないことになるのである。
【０００９】
本発明の目的は、自己及び同僚のローカルディスクにある情報もポータルを介して利用可能にすることにより、上記課題を解決することである。
【課題を解決するための手段】
【００１０】
本発明は、利用者及び同僚が使用するＰＣにあらかじめインストールしておく公開プログラムにより、それぞれのディスクに公開領域を設定可能にするとともに、その公開領域に公開プログラム経由でアクセスするための連携プログラム、さらに、連携プログラムにアクセスするためのポートレットをポータルサーバにインストールしておくことで、利用者や同僚がデータをＷＷＷサーバにアップロードするという作業を行わなくても、必要なデータをポータルサーバ経由で利用可能にする。この際、ポータルサーバの機能を活用することにより、ＰＣのデータすべてが表示されるのではなく、利用者の作業に必要な情報のみが表示されるため、データを探し出すための時間が削減される。
【００１１】
また、連携プログラムにキャッシュを設けておくことで、公開プログラムをインストールしたＰＣが起動していない状態であるか、あるいは、ネットワークにつながっていない状態であっても、必要なデータを利用可能にする。
【００１２】
さらに、ポータルサーバ経由で利用者が自分のＰＣにアクセスした場合には、必要に応じてそのファイルを編集可能にすることで、ポータルサーバによる情報の一元管理を促進させる。
【発明の効果】
【００１３】
従来、ポータルサーバ経由で利用していた公開情報に加え、利用者自身のＰＣに保管してある情報や、チームを組んで仕事をする同僚のＰＣに保管された情報も、ポータルサーバ経由で利用可能にすることで、利用者が業務を遂行するのに必要な情報が一元的に利用できるようになる。
【００１４】
また、情報をサーバにアップロードするという作業が不要になるため、利用者の作業の負担が軽減されると同時に、最新のデータを利用可能になるという効果もある。
【発明を実施するための最良の形態】
【００１５】
以下、本発明の実施の形態を図面を用いて説明する。
【００１６】
図１は、本発明の実施の形態を説明する全体構成図である。１はポータルサーバである。２は、利用者のＰＣである。３は、同僚のＰＣである。４は、インターネット上に公開されたＷＷＷサーバである。
【００１７】
ポータルサーバ１では、１１のポータルエンジンというプログラムが動作している。ポータルエンジンは、ユーザ毎に表示すべき内容を管理するパーソナライズ情報１２を備えている。ポータルエンジンは、１０１，１１１，１２１というポートレットと連携して、情報にアクセスする。
【００１８】
ポートレット１０１は、ポータルサーバ１上で動作する連携プログラム１０２にアクセスする。連携プログラム１０２は、同僚のＰＣ３上で動作し、連携プログラム１０２との通信や、同僚のＰＣ３のディスク３１の公開領域３２へのアクセスを行う公開プログラム３３と連携し、情報をポートレット１０１に提供する。連携プログラム１０２は、また、必要に応じて公開プログラム３３と連携するのではなく、キャッシュ１０３の情報を利用する。
【００１９】
ポートレット１１１は、ポータルサーバ１上で動作する連携プログラム１１２にアクセスする。連携プログラム１１２は、利用者のＰＣ２上で動作し、連携プログラム１１２との通信や、利用者のＰＣ２のディスク２１の公開領域２２へのアクセスを行う公開プログラム２３と連携し、情報をポートレット１１１に提供する。連携プログラム１１２は、また、必要に応じて公開プログラム２３と連携するのではなく、キャッシュ１１３の情報を利用する。
【００２０】
ポートレット１２１は、インターネット上に公開されたＷＷＷサーバ４の情報にアクセスする。
【００２１】
ポートレット１０１，１１１，１２１によって収集された情報は、ポータルエンジン１１によって統合され、利用者のＰＣ２のブラウザ画面２４に表示される。
【００２２】
図２は、連携プログラム１０２の動作を示すフローチャートである。
【００２３】
連携プログラム１０２は、ポータルサーバ１の起動時に、同時に起動される。その段階でＳｔａｒｔ（ステップ１０００）から、接続要求待ち（ステップ１００１）に状態が遷移する。ここで、接続要求を受け付けると、ステップ１００２に進んで接続要求の送信元を調べる。
【００２４】
ステップ１００２において、要求送信元がポートレット１０１もしくは公開プログラム３３でない場合、ステップ１００４に進み、連携プログラムの終了要求かどうか調べる。プログラム終了要求であれば、プログラムの終了処理を行い、Ｅｎｄへと進む（ステップ１００８）。そうでなければ、ステップ１００１に遷移して新たな要求を待つ。
【００２５】
ステップ１００２において、要求送信元が公開プログラム３３の場合、公開プログラム３３から受信した内容に基づいてキャッシュ１０３を更新し、ステップ１００１の接続要求待ちに遷移して新たな要求を待つ。
【００２６】
ステップ１００２において、要求送信元がポートレット１０１の場合、続くステップ１００５において、要求内容が、データの一覧の要求なのか、一覧に含まれる特定のデータなのかを判別する。
【００２７】
ステップ１００５において、要求内容がデータ一覧の場合には、ステップ１００６に進み、データ一覧もしくはエラー通知をポートレット１０１に送信する。その後、ステップ１００１に遷移して新たな要求を待つ。なお、ステップ１００６の詳細については、図３を用いて後述する。
【００２８】
ステップ１００５において、要求内容がデータ一覧に含まれる特定データの場合には、ステップ１００７に進み、要求されたデータもしくはエラー通知をポートレット１０１に送信する。その後、ステップ１００１に遷移して新たな要求を待つ。なお、ステップ１００７の詳細については、図４を用いて後述する。
【００２９】
図３は、連携プログラム１０２におけるデータ一覧送信動作（ステップ１００６）の詳細を示すフローチャートである。
【００３０】
図２のステップ１００６において、連携プログラム１０２は、受け付けた要求を公開プログラム３３に転送しようと試みる（ステップ２００１）。
【００３１】
ステップ２００２において、連携プログラム１０２は、公開プログラム３３との接続の試みの結果を判定する。
【００３２】
ステップ２００２において、公開プログラム３３との接続が確立できた場合、連携プログラム１０２は、公開プログラム３３との通信結果に基づき、キャッシュ１０３の内容を調べる（ステップ２００３）。ここで、キャッシュに要求されたデータの最新版があった場合、そのデータもとに、データ一覧を作成する（ステップ２００４）。ステップ２００３において、最新データがなかった場合、連携プログラム１０２は、公開プログラム３３から最新データを取得し、データ一覧を作成する（ステップ２００５）。その後、取得した最新データに基づき、キャッシュ１０３の内容を更新する（ステップ２００６）。
【００３３】
連携プログラム１０２はその後、一覧の要求元が実データの置かれているＰＣと同一であるかどうかステップ２００７において判定を行う。一覧の要求元が実データの所有者と同一でない場合、一覧の情報を遠隔アクセス用のアドレスに変換する（ステップ２００８）。
【００３４】
ステップ２００２において、公開プログラム３３との接続が確立できなかった場合、連携プログラム１０２は、キャッシュ１０３の内容を調べる（ステップ２０１０）。ここで、キャッシュに要求されたデータがあった場合、そのデータを元に一覧を作成する。その際、キャッシュから取得した一覧との注釈を付ける（ステップ２０１１）。キャッシュにデータがなかった場合は、ポートレット１０１にエラーを返して、図２のステップ１００６の処理を終了する（ステップ２０１３）。
【００３５】
エラーを返さない場合、連携プログラム１０２は、ステップ２００９において一覧をポートレット１０１に返信して、図２のステップ１００６の処理を終了する（ステップ２０１３）。
【００３６】
図４は、連携プログラム１０２におけるデータ送信動作（ステップ１００７）の詳細を示すフローチャートである。
【００３７】
図２のステップ１００７において、連携プログラム１０２は、受け付けた要求を公開プログラム３３に転送しようと試みる（ステップ３００１）。
【００３８】
ステップ３００２において、連携プログラム１０２は、公開プログラム３３との接続の試みの結果を判定する。
【００３９】
ステップ３００２において、公開プログラム３３との接続が確立できた場合、連携プログラム１０２は、公開プログラム３３との通信結果に基づき、キャッシュ１０３の内容を調べる（ステップ３００３）。ここで、キャッシュに要求されたデータの最新版があった場合、そのデータをポートレット１０１に送信する（ステップ３００４）。その後、図２のステップ１００７の処理を終了する（ステップ３０１０）。
【００４０】
ステップ３００３において、最新データがなかった場合、連携プログラム１０２は、公開プログラム３３から最新データを取得し、ポートレット１０１に送信する（ステップ３００５）。その後、取得した最新データに基づき、キャッシュ１０３の内容を更新する（ステップ３００６）。その後、図２のステップ１００７の処理を終了する（ステップ３０１０）。
【００４１】
ステップ３００２において、公開プログラム３３との接続が確立できなかった場合、連携プログラム１０２は、キャッシュ１０３の内容を調べる（ステップ３００７）。ここで、キャッシュに要求されたデータがあった場合、そのデータをポートレット１０１に送信する（ステップ３００８）。その後、図２のステップ１００７の処理を終了する（ステップ３０１０）。ステップ３００７においてキャッシュにデータがなかった場合は、ステップ３００９においてポートレット１０１にエラーを返して、図２のステップ１００７の処理を終了する（ステップ３０１０）。
【００４２】
図５は、公開プログラム３３の動作を示すフローチャートである。
【００４３】
公開プログラム３３は、ＰＣ３の起動時に、同時に起動される。その段階でＳｔａｒｔ（ステップ４０００）から、イベント待ち（ステップ４００１）に状態が遷移する。ここで、イベントを受信すると、ステップ４００２に進んでイベントの内容を調べる。
【００４４】
ステップ４００２において、イベントの内容が連携プログラム１０２からのデータ要求の場合、ステップ４００３において、要求されたデータがディスク３１内の公開領域３２に存在するかどうか調べる。存在する場合、そのデータを連携プログラム１０２に送信する（ステップ４００４）。存在しない場合、エラーを連携プログラム１０２に送信する（ステップ４００５）。その後、ステップ４００１に遷移し、新たなイベントを待つ。
【００４５】
ステップ４００２において、イベントの内容が公開領域３２の状態変化であった場合、公開プログラム３３は、公開領域３２の変化の内容を連携プログラム１０２に送信する。その後、ステップ４００１に遷移し、新たなイベントを待つ。
【００４６】
ステップ４００２において、イベントの内容がプログラム終了要求であれば、プログラムの終了処理を行い、Ｅｎｄへと進む（ステップ４００７）。
【００４７】
図６は、図５のステップ４００６において、公開プログラム３３から連携プログラム１０２に送信される通知の内容を示す図である。
【００４８】
５０００は、通知の全体を示す。
【００４９】
５００１は、通知を識別するための識別子である。
【００５０】
５００２は、公開領域３２のデータの所有者を識別するための識別子である。
【００５１】
５００３は、状態の変化の内容を示す情報である。データに関し、新規作成開始、削除、あるいは編集開始、編集完了の情報を示す。
【００５２】
５００４は、状況変化が発生したファイルをパス名である。ＰＣ３のなかでファイルを一意に識別することが可能な名前を用いる。
【００５３】
５００５は、５００４のパス名が示すファイル本体である。５００４は、ファイルの編集完了の場合には存在するが、削除や編集開始、新規作成開始の場合には存在しない。
【００５４】
図７は、図４のステップ３００１において、連携プログラム１０２から公開プログラム３３に送信される要求の内容を示す図である。
【００５５】
５１００は、要求の全体を示す。
【００５６】
５１０１は、要求を識別するための識別子である。
【００５７】
５１０２は、要求対象となるファイルのパス名である。
【００５８】
図８は、図５のステップ４００４において、図７の要求に対する応答として、公開プログラム３３から連携プログラム１０２に送信される要求応答の内容を示す図である。
【００５９】
５２００は、要求応答の全体を示す。
【００６０】
５２０１は、要求を識別するための識別子である。この要求応答の送信の契機となった要求５１００の要求識別子と同一の値を用いる。
【００６１】
５２０２は、要求対象となったデータの所有者を示す識別子である。
【００６２】
５２０３は、要求対象となったデータ本体である。
【００６３】
５２０４は、要求対象となったデータの状態を示す情報である。データに関し、編集中、編集完了の情報を示す。
【００６４】
図９は、図５のステップ４００５において、図７の要求に対する応答として、公開プログラム３３から連携プログラム１０２に送信される要求応答の内容を示す図である。
【００６５】
５３００は、要求応答の全体を示す。
【００６６】
５３０１は、要求を識別するための識別子である。この要求応答の送信の契機となった要求５１００の要求識別子と同一の値を用いる。
【００６７】
５３０２は、エラーを示す情報である。
【００６８】
図１０は、図３のステップ２００１において、連携プログラム１０２から公開プログラム３３に送信される要求の内容を示す図である。
【００６９】
５４００は、要求の全体を示す。
【００７０】
５４０１は、要求を識別するための識別子である。
【００７１】
５４０２は、要求対象となるフォルダのパス名である。
【００７２】
図１１は、図５のステップ４００４において、図１０の要求に対する応答として、公開プログラム３３から連携プログラム１０２に送信される要求応答の内容を示す図である。
【００７３】
５５００は、要求応答の全体を示す。
【００７４】
５５０１は、要求を識別するための識別子である。この要求応答の送信の契機となった要求５４００の要求識別子と同一の値を用いる。
【００７５】
５５０２は、要求対象となったフォルダ内に存在するファイルの数を示す。
【００７６】
５５０３は、要求対象となったフォルダ内に存在するファイルのパス名を示す。
【００７７】
５５０４は、５５０３のパス名が示すデータの所有者を示す識別子である。
【００７８】
５５０５は、５５０３のパス名が示すデータ本体である。
【００７９】
５５０６は、５５０３のパス名が示すデータの状態を示す情報である。データに関し、編集中、編集完了の情報を示す。
【００８０】
５００３，５００４，５００５，５００６はセットとなり、５００２に示された数だけ応答中に存在する。
【００８１】
５５０７は、要求対象となったフォルダ内に存在するフォルダの数を示す。
【００８２】
５５０８は、要求対象となったフォルダ内に存在するフォルダのパス名を示す。
【００８３】
５００８は、５００７に示された数だけ応答中に存在する。
【００８４】
図１２は、図５のステップ４００５において、図７の要求に対する応答として、公開プログラム３３から連携プログラム１０２に送信される要求応答の内容を示す図である。
【００８５】
５６００は、要求応答の全体を示す。
【００８６】
５６０１は、要求を識別するための識別子である。この要求応答の送信の契機となった要求５４００の要求識別子と同一の値を用いる。
【００８７】
５６０２は、エラーを示す情報である。
【００８８】
図１３は、キャッシュ１０３に格納される情報を示す図である。
【００８９】
６０００は、キャッシュ１０３に格納されるデータ全体を示す。
【００９０】
６００１は、当該データのオリジナルの所有者を識別する識別子である。図６の５００２、図８の５２０２、図１１の５５０４で用いられた識別子である。
【００９１】
６００２は、当該データのＰＣ３内でのパス名を示す。
【００９２】
６００３は、当該データに遠隔からアクセスするためのアドレス（ＵＲＬ：Ｕｎｉｆｏｒｍ  Ｒｅｓｏｕｒｃｅ  Ｌｏｃａｔｅｒ）形式である。
【００９３】
６００４は、当該データ本体である。
【００９４】
６００５は、当該データのオリジナルの状態を示す。図６の５００３、図８の５２０４、図１１の５５０６に示された値となる。
【００９５】
図１４は、パーソナライズ情報１２に格納される情報を示す図である。
【００９６】
７０００は、パーソナライズ情報１２に格納されるデータ全体を示す。
【００９７】
７００１は、ポータルサーバを利用するユーザを識別する識別子である。
【００９８】
７００２は、当該ユーザが利用するＰＣに表示されるポートレットの数を示す。
【００９９】
７００３は、ポートレットの種別、表示位置、表示内容に関する情報を示す。
【０１００】
７００３は、７００２に示された数だけ存在する。
【０１０１】
なお、図２〜図１３の記述内容は、ポートレット１０１、連携プログラム１０２、キャッシュ１０３、ＰＣ３、ディスク３１、公開領域３２、公開プログラム３３の組合せについて説明したものだが、これらは、ポートレット１１１、連携プログラム１１２、キャッシュ１１３、ＰＣ２、ディスク２１、公開領域２２、公開プログラム２３の組合せについても同様のものである。
【０１０２】
本発明の上記の実施形態は、ポータルサーバに連携プログラム、キャッシュ、公開プログラムを組み合わせることで、従来、利用していた公開情報に加え、利用者自身のＰＣに保管してある情報や、チームを組んで仕事をする同僚のＰＣに保管された情報も、ポータルサーバ経由で利用可能にするというものである。
【図面の簡単な説明】
【０１０３】
【図１】本発明の実施の形態を説明する全体構成図。
【図２】連携プログラムの処理。
【図３】連携プログラムのデータ一覧送信処理。
【図４】連携プログラムのデータ送信処理。
【図５】公開プログラムの処理。
【図６】公開プログラムから連携プログラムに送信される通知。
【図７】連携プログラムから公開プログラムに送信される特定ファイル要求。
【図８】公開プログラムから連携プログラムに送信される特定ファイル要求応答。
【図９】公開プログラムから連携プログラムに送信される特定ファイル要求応答（エラー）。
【図１０】連携プログラムから公開プログラムに送信されるファイル一覧要求。
【図１１】公開プログラムから連携プログラムに送信されるファイル一覧応答。
【図１２】公開プログラムから連携プログラムに送信されるファイル一覧応答（エラー）。
【図１３】キャッシュに格納されるデータ。
【図１４】パーソナライズ情報に格納されるデータ。
【符号の説明】
【０１０４】
１…ポータルサーバ、１１…ポータルエンジン、１２…パーソナライズ情報、１０１…ポートレット、１０２…連携プログラム、１０３…キャッシュ、１１１…ポートレット、１１２…連携プログラム、１１３…キャッシュ、１２１…ポートレット、２…利用者のＰＣ、２１…ディスク、２２…公開領域、２３…公開プログラム、２４…ブラウザ画面、３…同僚のＰＣ、３１…ディスク、３２…公開領域、３３…公開プログラム、４…インターネット上に公開されたＷＷＷサーバ、５０００…通知の全体、５００１…通知を識別するための識別子、５００２…データの所有者を識別するための識別子、５００３…状態の変化の内容を示す情報、５００４…状況変化が発生したファイルをパス名、５００５…ファイル本体、５１００…要求の全体、５１０１…要求を識別するための識別子、５１０２…要求対象となるファイルのパス名、５２００…要求応答の全体、５２０１…要求を識別するための識別子、５２０２…要求対象となったデータの所有者を示す識別子、５２０３…要求対象となったデータ本体、５２０４…要求対象となったデータの状態を示す情報、５３００…要求応答の全体、５３０１…要求を識別するための識別子、５３０２…エラーを示す情報、５４００…要求の全体、５４０１…要求を識別するための識別子、５４０２…要求対象となるフォルダのパス名、５５００…要求応答の全体、５５０１…要求を識別するための識別子、５５０２…要求対象となったフォルダ内に存在するファイルの数、５５０３…要求対象となったフォルダ内に存在するファイルのパス名、５５０４…パス名が示すデータの所有者を示す識別子、５５０５…パス名が示すデータ本体、５５０６…パス名が示すデータの状態を示す情報、５５０７…要求対象となったフォルダ内に存在するフォルダの数、５５０８…要求対象となったフォルダ内に存在するフォルダのパス名、５６００…要求応答の全体、５６０１…要求を識別するための識別子、５６０２…エラーを示す情報、６０００…キャッシュに格納されるデータ全体、６００１…当該データのオリジナルの所有者を識別する識別子、６００２…当該データのＰＣ３内でのパス名、６００３…当該データに遠隔からアクセスするためのアドレス、６００４…当該データ本体、６００５…当該データのオリジナルの状態、７０００…パーソナライズ情報に格納されるデータ全体、７００１…ポータルサーバを利用するユーザを識別する識別子、７００２…当該ユーザが利用するＰＣに表示されるポートレットの数、７００３…ポートレットの種別、表示位置、表示内容に関する情報。
【図１】
2006113829.tif 000003
【図２】
2006113829.tif 000004
【図３】
2006113829.tif 000005
【図４】
2006113829.tif 000006
【図５】
2006113829.tif 000007
【図６】
2006113829.tif 000008
【図７】
2006113829.tif 000009
【図８】
2006113829.tif 000010
【図９】
2006113829.tif 000011
【図１０】
2006113829.tif 000012
【図１１】
2006113829.tif 000013
【図１２】
2006113829.tif 000014
【図１３】
2006113829.tif 000015
【図１４】
2006113829.tif 000016